(57)【特許請求の範囲】
【請求項１】
バックレスト、シートベース及びレッグレストを備えてなる身障者等用治療椅子において、シートベース９の面に、座シート２を回動自在に設け、かつ該シートベース９の側面にはセフティバー６を配設して構成し、前記の座シート２の回動で患者の向きを変え、前記のセフティバー６により患者の介助に役立てることを特徴とする身障者等用治療椅子。
【請求項２】
バックレスト、シートベース及びレッグレストを備えてなる身障者等用治療椅子において、シートベース９の上面には、脚部側にレッグレスト３を固定すると共に、臀部側に座シート２を回動自在に並べて載設し、かつ該シートベース９の側面には逆Ｌ字状のセフティバー６を出没自在に立設してなり、前記の座シート２の回動で患者の向きを変え、前記のセフティバー６を突出させて患者の介助に役立て、邪魔なときはセフティバー６を収納可能とする構成を特徴とする身障者等用治療椅子。
【請求項３】
セフティバー６の方向が上方に突出させたときシートベース９と直交し、下方に収納させたときシートベース９と平行するごとく、セフティバー６を形成したことを特徴とする請求項２記載の身障者等用治療椅子。
【請求項４】
身障者等用治療椅子が、身障者等用歯科治療椅子であることを特徴とする請求項１ないし３のいずれかに記載の身障者等用治療椅子。
【発明の詳細な説明】
【０００１】
【産業上の利用分野】
本発明は、身障者又は身体の不自由な老人等が乗り降りしやすい歯科治療椅子等の身障者等用治療椅子に関する。
【０００２】
【従来の技術】
身障者又は、身体の不自由な老人等が歯科治療を受ける場合、歯科助手の全面的な介助で歯科治療椅子に座るか又は、歯科治療椅子に介助用の固定バーを取り付け、このバーを利用して歯科治療椅子に座った。さらに、治療に邪魔になる介助用の固定バーは、取り外さなければならない煩わしさがあった。
【０００３】
【発明が解決しようとする課題】
本発明は、上記従来の身障者等用治療椅子における問題点を解決し、歯科助手等の介助の軽減を図ると共に、取付、取り外しと言った作業の煩わしさを無くした身障者等用治療椅子を提供することを目的とする。
【０００４】
【課題を解決するための手段】
本発明は、以上の課題を解決するための身障者等用治療椅子を提供するものであり、バックレスト、シートベース及びレッグレストを備えてなる身障者等用治療椅子において、シートベース９の面に、座シート２を回動自在に設け、かつ該シートベース９の側面にはセフティバー６を配設して構成し、前記の座シート２の回動で患者の向きを変え、前記のセフティバー６により患者の介助に役立てることを特徴とする身障者等用治療椅子である。
特に、好ましい具体的構成として提案されるものは、シートベース９の上面には、脚部側にレッグレスト３を固定すると共に、臀部側に座シート２を回動自在に並べて載設し、座シート２を回動して簡易に患者の向きを変え得るようにすること。
さらに、治療椅子のシートベース９の側面には逆Ｌ字状のセフティバー６を出没自在に立設してなり、そのセフティバー６を突出させて患者の介助に用い、邪魔なときはセフティバー６を収納可能とすることである。
【０００５】
また、セフティバー６の方向が上方に突出させたときシートベース９と直交し、下方に収納させたときシートベース９と平行するごとく、セフティバー６を形成することが好ましい。本発明の治療椅子は、一般的には歯科治療椅子として用いることができる。
【０００６】
【作用】
本発明に係わる治療椅子は、任意に座シートを回動でき、介助用のバーで患者の介助、さらには歯科助手の作業を軽減することができる。
【０００７】
【実施例】
以下、実施例により本発明を具体化した例を述べるが、例示は単に説明用のものであって、本発明の技術思想の限定を意図したものではない。
図１は本発明の一例を示す斜視図、図２は歯科治療椅子の側面図、図３はバー６を突出させたときのバーガイド７部分の斜視図、図４はバー６を収納させたときのバーガイド７部分の斜視図である。
【０００８】
図１、図２の図面に示す、患者が両脚を伸ばし、背を持たせて歯科治療を受けるバックレスト、シートベース及びレッグレストを備えてなる歯科治療椅子１において、椅子支台上にはシートベース９が水平に載設されている。また該シートベース９の上面には、臀部支持用の座シート２と脚部支持用のレッグレスト３が分離して並んで載設されている。なお、レッグレスト３は前記シートベース９に固定されているのに対して、円形の座シート２は軸受８を介して回動自在に載設されている。
かくして患者を椅子１に乗り降りさせるとき、座シート２が回動するので患者を好適な方向に向き変えさせることが簡易にできて、歯科助手の労働負担を軽減することができる。
また、治療椅子１において、４は背部支持用のバックレスト、５は頭部支持用のヘッドレストである。
【０００９】
図３、図４において、一対の逆Ｌ字状のセフティバー６は、シートベース９の両側面又は片側面に立設された円筒状のバーガイド７へ上下移動可能に組み込まれている。なお、６ａはその水平軸部、６ｂはその垂直軸部である。
さらに、垂直軸部６ｂには位置固定ピン１０が突設され、相手のガイド７の筒体には、９０°の位相差をもって、固定ピン１０と係合する浅い位置まで削成した浅溝１１と深い位置まで削成した深溝１２が垂直に並んで形設されている。かつ、深溝１２はシートベース９と平行方向に、浅溝１１はシートベース９と直交方向にそれぞれ形設されている。
かくして、セフティバー６の固定ピン１０を浅溝１１に係止したときは（図３）、セフティバー６は座シート２及びレッグレスト３より十分に高く上方に突出し、かつその水平軸部６ａはシートベース９に直交した方向となり、患者の介助に使用可能となる。また、セフティバー６の固定ピン１０を深溝１２に係止したときは（図４）、セフティバー６は座シート２及びレッグレスト３より下方に収納され、かつその水平軸部６ａはシートベース９と平行方向となり、患者の乗り降ろしや治療等のとき、全く邪魔にならなくなる。
【００１０】
【発明の効果】
本発明は、以上説明した通り、座シートを回動自在とさせたことにより治療椅子上で身障者又は身体の不自由な老人等の向きを変え易くすると共に、セフティバーを配設したことにより患者の介助を容易とし、歯科助手の作業負担を軽減でき、その結果、身障者等の治療効率を大幅に向上することができる。
【図面の簡単な説明】
【図１】本発明実施例の身障者等用歯科治療椅子の斜視図である。
【図２】本発明実施例の身障者等用歯科治療椅子の一部断面表示の側面図である。
【図３】本発明実施例の身障者等用歯科治療椅子のセフティバーを突出させたときのバーガイド部の斜視図である。
【図４】本発明実施例の身障者等用歯科治療椅子のセフティバーを収納させたときのバーガイド部の斜視図である。
【符号の説明】
１：歯科治療椅子                    ２：座シート
３：レッグスレスト                  ４：バックレスト
５：ヘッドレスト                    ６：セフティバー
６ａ：水平軸部                      ６ｂ：垂直軸部
７：バーガイド                      ８：  軸受
９：シートベース                  １０：  位置固定ピン
１１：浅溝                          １２：  深溝
【図１】
0003562002.tif 000002
【図２】
0003562002.tif 000003
【図３】
0003562002.tif 000004
【図４】
0003562002.tif 000005